(57)【要約】【課題】搬送中の周囲との接触によるローラー間カバーの脱落を防ぐことができる、ローラー間カバー付き搬送用ローラーチェーンを提供する。【解決手段】ローラー間カバー６は、隣り合うローラー２，２の回転中心間を結ぶ中心ラインを挟む上側部分９と下側部分１０とを備え、上側部分をカバー部、下側部分を抜止め部とする。各ローラー２は、外周面部と左右の両側面部との環状境界部がテーパー斜面部１１に形成され、ローラー間カバー６は、前部と後部の両方の両側部に位置決め用突出部１２をカバー部９側から抜止め部１０側にわたるように円弧状に備え、該円弧状位置決め用突出部１２は、その内面部がテーパー斜面部１２ａに形成され、ローラー２の環状テーパー斜面部１１とのテーパー嵌合によりローラー間カバー６が側方に動くのを規制されている。【選択図】      図１
2005231749.tif 000002
【特許請求の範囲】
【請求項１】
隣り合うローラー間をカバーするローラー間カバーが備えられた搬送用ローラーチェーンにおいて、
前記ローラー間カバーは、隣り合うローラーの回転中心間を結ぶ中心ラインを挟む上側の部分と下側の部分とを備え、上側部分を、隣り合うローラーの外周部間にわたされてローラー間をカバーするカバー部とし、下側部分を、ローラー間カバーがローラー間から上方に抜出するのを隣り合うローラーの外周部に係合することで規制する抜止め部としており、
各ローラーは、外周面部と左右の両側面部との両環状境界部がそれぞれテーパー斜面部に形成され、
前記ローラー間カバーは、隣り合うローラーの外周側に面する前部と後部の両方の両側部に、ローラーの環状テーパー斜面部の側に突出する位置決め用突出部をカバー部側から抜止め部側にわたるように円弧状に対で備え、
該対の円弧状位置決め用突出部は、その内面部がローラーの環状テーパー斜面部に対応するテーパー斜面部に形成され、両円弧状テーパー斜面部とローラーの左右の環状テーパー斜面部とのテーパー嵌合により、ローラー間カバーが側方に動くのを規制されるようになされていることを特徴とするローラー間カバー付き搬送用ローラーチェーン。
【請求項２】
隣り合うローラー間をカバーするローラー間カバーが備えられた搬送用ローラーチェーンにおいて、
前記ローラー間カバーは、隣り合うローラーの回転中心間を結ぶ中心ラインを挟む上側の部分と下側の部分とを備え、上側部分を、隣り合うローラーの外周部間にわたされてローラー間をカバーするカバー部とし、下側部分を、ローラー間カバーがローラー間から上方に抜出するのを隣り合うローラーの外周部に係合することで規制する抜止め部としており、
前記ローラー間カバーは、隣り合うローラーの外周側に面する前部と後部のいずれか一方又は両方に、位置決め用突出部をカバー部側から抜止め部側にわたるように円弧状に備え、
該円弧状位置決め用突出部がローラーと係合することにより、ローラー間カバーが側方に動くのを規制されるようになされていることを特徴とするローラー間カバー付き搬送用ローラーチェーン。
【発明の詳細な説明】
【技術分野】
【０００１】
本発明は、ローラー間に、ネジやナット、工具、その他の異物が落ちてしまうのを防ぐために、カバーが付けられた、ローラー間カバー付き搬送用ローラーチェーンに関する。
【背景技術】
【０００２】
例えば、倍速チェーンに用いられるローラー間カバーとして、隣り合うローラーの回転中心間を結ぶ中心ラインを挟む上側の部分と下側の部分とを備え、上側部分をカバー部とし、下側部分をローラー間カバーが大径ローラー間から上方に抜出するのを大径ローラーとの係合によって規制する抜止め部とし、該抜止め部をバネ弾性構造にし、隣り合う大径ローラー間に押し込んで奥で開かせることによって、ローラー間カバーを抜止め状態に取り付けることができるようになされたものが提案されている。
【０００３】
そして、このローラー間カバーのカバー部の両側部には、大径ローラー間に取り付けられたローラー間カバーが側方に動くのを規制する目的で、大径ローラーの側面部の側に突出する位置決め用突出部が備えられている。
【特許文献１】特開２００３−３１２８２５号公報
【発明の開示】
【発明が解決しようとする課題】
【０００４】
しかしながら、上記のローラー間カバーが取り付けられた倍速チェーンを、スプロケットに掛け、上下のチェーンレール部に案内させて周回させると、ローラー間カバーが、チェーンレールへの入り口部分に引っ掛かり、チェーンから脱落してしまうことが、まれに見受けられた。
【０００５】
本発明は、上記のような従来の問題点に鑑み、搬送中の周囲との接触によるローラー間カバーの脱落を防ぐことができる、ローラー間カバー付き搬送用ローラーチェーンを提供することを課題とする。
【課題を解決するための手段】
【０００６】
上記の課題は、隣り合うローラー間をカバーするローラー間カバーが備えられた搬送用ローラーチェーンにおいて、
前記ローラー間カバーは、隣り合うローラーの回転中心間を結ぶ中心ラインを挟む上側の部分と下側の部分とを備え、上側部分を、隣り合うローラーの外周部間にわたされてローラー間をカバーするカバー部とし、下側部分を、ローラー間カバーがローラー間から上方に抜出するのを隣り合うローラーの外周部に係合することで規制する抜止め部としており、
各ローラーは、外周面部と左右の両側面部との両環状境界部がそれぞれテーパー斜面部に形成され、
前記ローラー間カバーは、隣り合うローラーの外周側に面する前部と後部の両方の両側部に、ローラーの環状テーパー斜面部の側に突出する位置決め用突出部をカバー部側から抜止め部側にわたるように円弧状に対で備え、
該対の円弧状位置決め用突出部は、その内面部がローラーの環状テーパー斜面部に対応するテーパー斜面部に形成され、両円弧状テーパー斜面部とローラーの左右の環状テーパー斜面部とのテーパー嵌合により、ローラー間カバーが側方に動くのを規制されるようになされていることを特徴とするローラー間カバー付き搬送用ローラーチェーンによって解決される。
【０００７】
このチェーンでは、ローラー間カバーが左右に動くのを規制する位置決め用突出部が、カバー部側から抜止め部側にわたるように円弧状に備えられているので、この位置決め用突出部が抜止め部の弾性変形を規制する補強リブの役割を果たし、ローラー間カバーが仮に周囲と接触しても、抜止め部は弾性変形をすることができず、そのため、ローラー間カバーが、隣り合うローラー間から抜出されてしまうのを防ぐことができる。
【０００８】
ところで、ローラー間カバーは、ローラーの自由な回転を妨げないように、遊びをもたせてローラー間に取り付けられており、その遊びは、左右方向、即ち側方においてももたされている。そのため、コンベアーの駆動中、ローラー間カバーがその遊びの範囲で側方にわずかに動いてローラー間カバーが周囲と接触してしまうことがあり、それが原因でローラー間カバーがチェーンから無理矢理剥ぎ取られるおそれがある。
【０００９】
本発明は、この問題点に対する配慮もなされている。即ち、各ローラーは、外周面部と左右の両側面部との両環状境界部がそれぞれテーパー斜面部に形成されており、ローラー間カバーは、隣り合うローラーの外周側に面する前部と後部の両方の両側部に、上記の円弧状位置決め用突出部を対で備え、それらの円弧状位置決め用突出部は、その内面部がローラーの環状テーパー斜面部に対応するテーパー斜面部に形成され、両円弧状テーパー斜面部とローラーの左右の環状テーパー斜面部とのテーパー嵌合により、ローラー間カバーが側方に動くのを規制されるようになされている。
【００１０】
これにより、ローラー間カバーは、左右方向への遊びを与えられているにもかかわらず、上記のテーパー嵌合によって自ら中心位置を保持しようとする調心作用が働き、それによって、コンベアーの駆動中にローラー間カバーが側方に動くのが防がれ、搬送中の周囲との接触が防がれ、ローラー間カバーの脱落を防ぐことができる。
【００１１】
特に、ローラー間カバーには、位置決め用突出部が、隣り合うローラーの外周側に面する前部と後部の両方に備えられると共に、カバー部側から抜止め部側にわたるように円弧状に備えられているので、チェーンの周回によって、ローラー間カバーがいずれの向きに向けられようとも、テーパー嵌合による調心作用が働き、これによって、搬送中の周囲との接触によるローラー間カバーの脱落を確実に防ぐことができる。
【００１２】
また、上記の課題は、基本には、隣り合うローラー間をカバーするローラー間カバーが備えられた搬送用ローラーチェーンにおいて、
前記ローラー間カバーは、隣り合うローラーの回転中心間を結ぶ中心ラインを挟む上側の部分と下側の部分とを備え、上側部分を、隣り合うローラーの外周部間にわたされてローラー間をカバーするカバー部とし、下側部分を、ローラー間カバーがローラー間から上方に抜出するのを隣り合うローラーの外周部に係合することで規制する抜止め部としており、
前記ローラー間カバーは、隣り合うローラーの外周側に面する前部と後部のいずれか一方又は両方に、位置決め用突出部をカバー部側から抜止め部側にわたるように円弧状に備え、
該円弧状位置決め用突出部がローラーと係合することにより、ローラー間カバーが側方に動くのを規制されるようになされていることを特徴とするローラー間カバー付き搬送用ローラーチェーンによって解決される。
【００１３】
即ち、このチェーンにおいても、ローラー間カバーが左右方向に動くのを規制する位置決め用突出部が、カバー部側から抜止め部側にわたるように円弧状に備えられているので、位置決め用突出部が抜止め部の弾性変形を規制する補強リブの役割を果たし、搬送中にローラー間カバーが仮に他と接触しても、抜止め部は弾性変形をすることができず、そのため、ローラー間カバーがローラー間から抜出してしまうのを防ぐことができる。
【発明の効果】
【００１４】
本発明は、以上のとおりのものであるから、搬送中の周囲との接触によるローラー間カバーの脱落を防ぐことができる。
【発明を実施するための最良の形態】
【００１５】
次に、本発明の実施最良形態を図面に基づいて説明する。
【００１６】
図１〜図６に示す実施形態は、本発明の搬送用ローラーチェーンを倍速チェーンに適用した場合のもので、同チェーン１において、２は大径ローラー、３，３は左右の小径ローラー、６はローラー間カバーである。また、４は内リンクプレート、５は外リンクプレート、７はボスで、８はピンである。
【００１７】
ローラー間カバー６は、隣り合う大径ローラー２…間のそれぞれに備えられており、各ローラー間カバー６は、隣り合う大径ローラー２，２の回転中心間を結ぶ中心ラインＣを挟む上側の部分９と下側の部分１０とを備え、上側部分９を、隣り合う大径ローラー２，２の外周部間にわたされて大径ローラー２，２間をカバーするカバー部とし、下側部分１０を、ローラー間カバー６が大径ローラー２，２間から上方に抜出するのを隣り合う大径ローラー２，２の外周部に係合することで規制する抜止め部としている。
【００１８】
そして、各大径ローラー２は、図５に示すように、外周面部と左右の両側面部との両環状境界部１１，１１がそれぞれ、テーパー斜面部に形成されている。また、ローラー間カバー６は、図４に示すように、隣り合う大径ローラー２，２の外周側に面する前部と後部の両方の両側部に、大径ローラー２の環状テーパー斜面部１１，１１の側に突出する位置決め用突出部１２，１２を、カバー部９側から抜止め部１０側にわたるように円弧状に対で備えている。そして、該対の円弧状位置決め用突出部１２，１２は、その内面部１２ａ，１２ａが大径ローラー２の環状テーパー斜面部１１，１１に対応するテーパー斜面部に形成され、両円弧状テーパー斜面部１２ａ，１２ａと大径ローラー２の左右の環状テーパー斜面部１１，１１とのテーパー嵌合により、ローラー間カバー６が側方に動くのを規制されるようになされている。
【００１９】
上記のチェーン１では、ローラー間カバー６が左右方向に動くのを規制する位置決め用突出部１２，１２が、カバー部９側から抜止め部１０側にわたるように円弧状に備えられているので、この位置決め用突出部１２，１２が抜止め部１０の弾性変形を規制する補強リブの役割を果たし、ローラー間カバー６が仮に図６に示すようなチェーンレール１３とレールへの入り口部分に引っ掛かるように接触して抜け出ようとしても、抜止め部１０は弾性変形をすることができず、そのため、ローラー間カバー６が、隣り合う大径ローラー２，２間から抜出されてしまうのを防ぐことができる。
【００２０】
なお、上記のように、ローラー間カバー６は、抜止め部１０が、位置決め用突出部１２，１２による補強リブの作用で弾性変形を規制されるようになされているので、既製の倍速チェーンの大径ローラー間に押し込み式で取り付けることはできないが、チェーンの組み立て過程で大径ローラー２，２間にローラー間カバー６を組み込むようにすることによって、大径ローラー２，２間に取り付けることができる。
【００２１】
しかも、ローラー間カバー６の位置決め用突出部１２，１２の内面のテーパー斜面部１２ａ，１２ａと大径ローラー２の左右のテーパー斜面部１１，１１とのテーパー嵌合により、ローラー間カバー６が側方に動くのを規制されるようになされているので、ローラー間カバー６は、大径ローラー２の自由な回転を妨げないように左右方向への遊びを与えられているにもかかわらず、上記のテーパー嵌合によって自ら中心位置を保持しようとする調心作用が働き、コンベアーの駆動中にローラー間カバー６が側方にずれ動くのを防いで、搬送中の周囲との接触によるローラー間カバー６の脱落を確実に防ぐことができる。
【００２２】
特に、ローラー間カバー６には、位置決め用突出部１２，１２が、隣り合う大径ローラー２，２の外周側に面する前部と後部の両方に備えられると共に、カバー部９側から抜止め部１０側にわたるように円弧状に備えられているので、図６に示すように、水平軸線回りでのチェーン１の周回によって、ローラー間カバー６がいずれの向きに向けられようとも、ローラー間カバー６にはその自重によってテーパー嵌合による調心作用が働き、搬送中の周囲との接触を防ぐことができて、ローラー間カバー６の脱落を確実に防止することができる。とりわけ、ローラー間カバー６が、スプロケットを周回してチェーンレール１３内に戻っていく際に、チェーンレール１３の入り口端部に引っ掛かってしまうのを確実に防ぐことができる。
【００２３】
以上に、本発明の実施形態を示したが、本発明はこれに限られるものではなく、発明思想を逸脱しない範囲で各種の変更が可能である。例えば、上記の実施形態では、倍速チェーンに適用した場合を示しているが、本発明は、搬送用の各種ローラーチェーンに適用することができるものであることはいうまでもない。
【図面の簡単な説明】
【００２４】
【図１】実施形態のチェーンの分解斜視図である。
【図２】同チェーンの斜視図である。
【図３】図（イ）は同チェーンの側面図、図（ロ）は同平面図である。
【図４】ローラー間カバーを示すもので、図（イ）（ロ）は斜視図、図（ハ）は正面図、図（ニ）は側面図、図（ホ）は図（ハ）のＩ−Ｉ線断面矢視図、図（ヘ）は図（ハ）のＩＩ−ＩＩ線断面図である。
【図５】ローラーを示すもので、図（イ）は正面図、図（ロ）及び図（ハ）は斜視図である。
【図６】同チェーンの使用状態の一例を示すもので、図（イ）は図（ロ）のＩＩＩ−ＩＩＩ線矢視図、図（ロ）は側面図である。
【符号の説明】
【００２５】
１…倍速チェーン（搬送用チェーン）
２…大径ローラー（ローラー）
６…ローラー間カバー
９…カバー部
１０…抜止め部
１１…環状のテーパー斜面部
１２…位置決め用突出部
１２ａ…円弧状のテーパー斜面部
Ｃ…中心ライン
【図１】
2005231749.tif 000003
【図２】
2005231749.tif 000004
【図３】
2005231749.tif 000005
【図４】
2005231749.tif 000006
【図５】
2005231749.tif 000007
【図６】
2005231749.tif 000008